(57)【要約】      （修正有）【課題】自分史、絵本、画集など少数の自費出版書籍を書籍用紙揃え器、用紙接着治具、上製本表紙作成治具により手作りで、少部数の上製本、並製本ともに市販製品並みに作成する手段を提供する。【解決手段】用紙揃えは、用紙揃え器本体１に用紙紙支え板４を取り付た書籍用紙揃え器の上に、用紙を乗せて背面用紙揃え板２，上面用紙揃え板３を斜め下に傾けて、振動を与えて用紙面を揃える。紙の面揃えされた書籍用紙は、背面用紙揃え板２の脇面で用紙揃え器本体１にクリップで用紙を固定し、固定後、用紙支え板４を外し、その位置に糊付けバインダー７を取り付ける。糊付けバインダー７は、コイルばね９を取り付けたボルト８の調整ネジ１０を、書籍用紙の厚さに合わせて調整し、他端はクリップ受け口１１をクリップで挟んで書籍用紙を固定する。糊付け、加熱圧着し、上製本または並製本を行う。【選択図】図１
2016041502.tif 000002
【特許請求の範囲】
【請求項１】
書籍用紙揃え器に関し、背表紙側の用紙面揃え板本体と、これにに平行した位置で分割し、脱着出来る用紙支え板及び糊付けバインダーで構成し、用紙揃え後、用紙支え板を抜き取り、その位置に２枚の挟み板による糊付けけバインダーを設定出来る構造とし、糊付けバインダーの一端は締め付け用のコイルばねを取り付けたボルトで締め、他端はクリップなどで書籍用紙を固定できる構造とした書籍用紙揃え器。
【請求項２】
糊付けバインダーで固定した書籍用紙を糊付けバインダーを支える作業台に乗せ、背表紙面に熱溶融接着材を塗布後、加熱アイロン又は鏝などで用紙が前後に曲がる強度で用紙背面に接着剤を塗り込む糊付け工法。
【請求項３】
糊付けした書籍用紙と表紙の接着に関し、書籍用紙に塗布された接着剤を溶融するための加熱プレートと２枚の挟み板の両端に貫通穴を設け、この穴に締め付け用のコイルばねを取り付けたボルトを通した構成の書籍バインダーを用い、予めスペーサーその他で書籍の厚さに合わせて開かれ加熱された書籍バインダーの間に、糊付けを終えた書籍用紙を表紙に挟んで差し込み、接着剤の溶融後にスペーサーを外し、表紙と各ページを強く絞めて密着した上、書籍資料を書籍バインダごと取り出し冷却して背固め接着を確実に行う書籍の接着方式。
【請求項４】
上製本表紙作成治具に関し、上下に平行したスライドガイドを設けた作業板と、背表紙両脇の耳白（開き白）を取る耳白棒と可動耳白棒を直角にスライド枠に結合し、そのスライド枠の幅を下部表紙の糊白とする表紙型枠で構成し、この表紙型枠を作業板のスライドガイドに嵌めて、左右に移動して表紙用紙との位置合わせが出来る構造とし、更に可動耳白棒は上下片側のスライド枠の内側をスライドガイドとして、可動耳白棒を背表紙幅に合わせて調整ネジでスライド枠に固定出来る構造の上製本表紙作成治具。
【発明の詳細な説明】
【発明の概要】
【技術分野】
【０００１】  自分史、絵本、画集など少数の自費出版書籍を手作りで、上製本、並製本ともに市販製品並みにに作成することの出来る手作り製本治具。
【背景技術】
【０００２】  製本方式は週刊誌などの中綴じ（ホッチキス綴じ）、無線綴じ、糸綴じなど各種あるが本発明は接着剤を用いた無線綴じ、糸綴じ製本について適用する。【０００３】  無線綴じ製本の機材は、全自動化の大型システム、表紙作成、製本用の優れた性能の個別機械など出版社向きの各種機械がある。【０００４】  また低コスト少部数用の製本機も各種あるが、これらは、画集、絵本など厚手の用紙及び多頁の書籍では、書籍用紙の糊付けが用紙背面のみの接着で、用紙間には糊が浸透せず強度が取れず、薄手の配布資料などの製本を主体に利用される。【０００５】  少部数の手作りでの上製本作製のための低コストの表紙作製機材は、現在市場に見当たらない。
【発明の開示】
【発明が解決しようとする課題】
【０００６】  市販の書籍を作製する大型自動化機械、表紙作製、製本用の個別機械は高価な上、機械の保守、メンテ、作動に至る準備に長時間を要し、少部数の書籍作成には不向きである。【０００７】  個人、グループで手軽に利用の出来る低価格製本機は、書籍用紙の背面に熱溶融の接着剤を表紙との間に挟んで加熱するものが殆どであるが、この場合、接着剤は用紙の間に十分浸透せず厚手用紙の書籍又は多頁の書籍では強度不足となり往々にして紙抜けが起こる。また、紙揃えについても低価格の適切な治具はなく、紙揃えが不十分な場合も紙抜けの大きな原因となる。【０００８】  上製本表紙の作成について、少部数の表紙を手作りで市販本並に作製出来きる機材は存在せず、個人での作製は難しく専門業者に依頼する他なかった。並製本については、背表紙の折筋付け手法は各種あるが、本発明では上製本用の表紙作成器の一部を利用して簡単にして正確な筋付けを実現するものである。
【発明を解決するための手段】
【０００９】  書籍用紙の紙揃え器は、本体と、本体に設けた背面用紙揃え板に平行した位置で本体から着脱出来る用紙支え板、及び糊付けバインダーで構成し、用紙支え板には上面用紙揃え板を設け、用紙支え板は着脱ガイド５と止め板６よって着脱する。
用紙揃え後の紙ずれを防ぎ、糊付け用バインダーを用紙の最適位置で確実に固定するため、用紙揃えを終えた用紙は、器具本体の背面用紙揃え板の脇で用紙をクップで器具本体に固定したのち、用紙支え板を抜き取り、その位置に糊付け用バインダーを取り付け、用紙を固定する。抜き取り作業を容易とするため用紙支え板は、嵌め込み用ガイドと、止め板により簡単に着脱出来きる構造とする。
【０００１０】  糊付けバインダーは２枚の挟み板の１端に貫通穴を設け、この貫通穴に予め締め付け用のコイルばねを取り付けたボルトを通し、挟み幅を書籍用紙の厚さに合わせてねじ調整できる構造とし、他端はクリップで挟んで簡単で確実に書籍用紙を固定する。
【００１１】  糊付けバインダーによって固定された書籍用紙は、糊付け作業台の上部に設けた作業穴に糊付け面を上にして差し込み、糊付けバインダーを作業台にかける様に設置し、糊付け面にはホットメルトなど熱溶融性の接着剤を塗布する。この接着剤は加熱アイロン又は鏝によって用紙が前後に曲がる強度で用紙背面から積層面に接着剤を塗り込む。
上製本の場合は、無線綴じ、糸綴じ共に糊付けが終わった書籍用紙の背面を書籍用紙の最初と最後のページに入れられた見返し用紙と共に、これらを包む様に接着し、製本背面の補強と表紙への貼り付け部材とする。
【００１２】  糊付けの終わった並製本書籍用紙は、表紙に挟み込み、高温に熱したプレート上で、ここでは両端を締め付け用のコイルばね付のボルトで繋いだ金属性の書籍バインダーを、スペーサーによって広げた状態で加熱し、この書籍バインダーの間に書籍用紙を挟んだ表紙を入れて上から用紙を押し込み接着剤の溶融を確認して後、スペーサーを外して表紙と書籍用紙を強く挟み更に加熱圧着する。加熱圧着された書籍は書籍バインダーと共に加熱プレート面より取り出して冷却する。
上製本では、背表紙面に貼られた補強布の部分を表紙バインダーに差し込み熱圧着する。その後書籍バインダーと共にに加熱プレートから取り出した書籍用紙は、冷却後、この補強布で包まれた見返し用紙と共に、上製本表紙に接着し製本する。
【００１３】  上製本の表紙作製治具は、上下に平行したスライドガイドを設けた表紙作成板と、表紙型枠で構成され、この表紙型枠は背表紙両脇の耳白（開き白）を取る耳白棒及び可動耳白棒を上下で結合するスライド型枠で構成する。表紙型枠は表紙作成板のスライドガイドに嵌めて左右に移動して表紙用紙との位置合わせに利用し、更に可動耳白棒はスライド型枠の内部をスライドして、可動耳白棒と耳白棒の間隔を背表紙幅に合わせて調整ネジでスライド枠に固定出来る構造とする。また下部のスライド型枠の幅は、表紙の折込糊白と合わせた構造とする。
上製本表紙の作製は、初めに可動耳白棒と耳白棒の間隔を調整して背表紙の幅に合わせ、締め付けネジによってスライド型枠に固定する。
次に印刷された表紙用紙の下端を表紙作成板のスライドガイドの下部に合わせて置き、その上に表紙型枠を嵌め、これを左右に調整して表紙印刷位置と合わせて、表，裏表紙の芯材料の糊付けのガイドとして使用する。
【００１４】  表紙の型枠ガイドに沿って、背表紙、表、裏表紙の芯材を両面テープその他の接着材によって接着した後、表紙型枠を外して表紙の芯材を包む様に折込み接着する。
【００１５】  並製本表紙の作製は、表紙作成板の裏面を利用して行い、裏面の上下に表紙用紙の端面を合わせる表紙ガイド設け、これと直行する端に設けた筋付け突起と、表側のスライドガイド利用して可動調整出来る嵌め込み調整板に設けた筋付け突起を、背表紙幅に合わせて行う。表紙の作製は、表紙上端を表紙ガイドに沿わせて置き、印刷された表紙用紙の背表紙部を、この両筋付け突起あわせて乗せ、これをローラーで押して折筋を付ける。並製本表紙はこの折筋の沿って折り曲げて作成する
【発明の効果】
【００１６】  以上説明したように、書籍用紙揃え器、糊付け作業台、加熱プレート及び書籍バインダー、上製本表紙作製治具、並製本表紙折筋付け治具によって、少部数の各種の製本作業を全て手作業で容易に可能とするものである。
【００１７】  書籍用紙揃え器は揃え終えた書籍用紙を、クリップでの仮止め後、用紙支え板を抜き取って、その位置で糊り付け作業用の糊付けバインダーに置き換えて、糊付け作業に最適な位置で確実に固定し、用紙ズレによる落丁を防ぐものである。
【００１８】  糊付けバインダーで固定した書籍用紙は、糊付け面を上にして糊付け作業台に差し込み、熱溶融接着材を塗布した後、接着剤を加熱アイロン又は鏝で背表紙部が前後に湾曲する強度で塗り込み用紙の積層間に接着糊を塗り込むことで確実な接着が出来きる。
【００１９】加熱プレートと書籍バインダーは、書籍用紙を表紙に挟んで加熱接着し、且つ強く絞めつける事によって緩みの無い上質の製本を可能とする。
【発明を実施するための最良の形態】
【００２０】  書籍用紙の紙揃え器は図１の通りで、用紙揃え器本体１と本体から着脱出来る用紙支え板４及び糊付けバインダー７で構成し、本体には背面用紙揃え板２、用紙支え板４には上面用紙揃え板３を設け、更に着脱ガイド５と止め板６よって着脱する。
用紙揃えは、用紙揃え器本体１に用紙紙支え板４を取り付た書籍用紙揃え器の上に、用紙を乗せて背面用紙揃え板２，上面用紙揃え板３を斜め下に傾けて、振動を与えて用紙面を揃える。
紙の面揃えされた書籍用紙は、背面用紙揃え板２の脇面で用紙揃え器本体１にクリップで用紙を固定し、固定後、用紙支え板４を外し、その位置に糊付けバインダー７を取り付ける。
糊付けバインダー７は、コイルばね９を取り付けたボルト８の調整ネジ１０を、書籍用紙の厚さに合わせて調整し、他端はクリップ受け口１１をクリップで挟んで書籍用紙を固定する。【００２２】  糊付けバインダー７で固定された書籍用紙は、図２の書籍接着治具の作業台１２の用紙差し込み口１３に糊付け面を上にして、糊付けバインダー７の両端を作業台１２に掛ける様に差し込み、熱溶融の接着剤を塗布した後、加熱アイロン又は鏝によって用紙が前後に曲がる強さで接着剤を用紙の層間に塗りこむ。【００２１】  糊付けの終わった書籍用紙は、表紙に挟み込み、高温に熱した加熱プレート１４の上で、両端に締め付け用のコイルバネ１６を取り付けたボルト１７で繋がれた金属性の書籍バインダー１５を、スペーサー１８で広げた状態で加熱し、拡げられた書籍バインダー１５の間に表紙に挟んだ書籍用紙を入れて、上から押し込み接着剤の溶融を確認して後、スペーサー１８を外して表紙と書籍用紙を強く絞めて更に加熱圧着する。加熱圧着された書籍は書籍バインダー１５と共にプレート面より取り出して冷却する。。【００２２】  上製本の表紙の作製は、図３の表紙作成板１９の上下に平行して設けたスライドガイド２０，２１の下部ガイド２１に、印刷された表紙用紙の下端を合わせて置き、その上に表紙型枠２６を嵌めて行う。表紙型枠は、背表紙左右の耳白（開き白）を取る耳白棒２４と可動耳白棒２３、及びこれを結合するスライド型枠２２で構成され、始めに可動耳白棒２３をスライド型枠２２の内部でスライドして耳白棒２４との間隔を背表紙の幅に合わせ締め付けネジ２５でスライド型枠２６に固定する。表紙型枠２６は左右と下部を表紙印刷位置に表紙作成板１９上で合わせ、表，裏表紙の芯材料の糊付けのガイドとする。次に表紙型枠２６の下部と耳白棒２３，２４に沿って、背表紙、表、裏表紙の芯材を両面テープその他の接着剤で接着した後、表紙型枠２６を外して表紙の芯材を包む様に折込み接着する。【００２３】  並製本表紙の作製は、表紙作成板１９の裏面側に表紙ガイド３０とこれと直行する端面に設けた筋付け突起２７、及び表紙作成板１９の表面側スライドガイド２０，２１への嵌め込み調整板２９に設けた筋付け突起２８で行う。
筋付け突起２７と筋付け突起２８との間隔を嵌め込み調整板２９を調整して背表紙の幅に合わせ、この上に用紙ガイド３０に沿って用紙の表紙の上部と背表紙位置を筋付け突起２２７，２８に合わせてのせ、これをローラーで押して折筋を付け、この折筋の沿って折り曲げて作成する
【図面の簡単な説明】
【００２４】
【図１】書籍用紙揃え器で図は上から正面図、上面図、支え板上面図（抜き取ったもの）、糊付けバインダーの正面図、側面図、上面図である。）
【図２】書籍接着治具で図は上から正面図、側面図、上面図、書籍バインダーの上面図、正面図、側面図である。
【図３】上製本作成治具で図は上から上面図、側面図、表紙型枠上面図、側面図  側面図、筋付け突起を取り付けた裏面図である。
【符号の説明】
【００２５】１      用紙揃え器本体
２      背面用紙揃え板
３      上面用紙揃え板
４      用紙支え板
５      脱着ガイド
６      止め板
７      糊り付けバインダー
８      ボルト
９      コイルばね
１０    調整ネジ
１１    クリップ挟み口
１２    作業台
１３    用紙差し込み口
１４    加熱プレート
１５    書籍バインダー
１６    コイルバネ
１７    両止めボルト
１８    スペーサー
１９    表紙作成器
２０    スライドガイド（上）
２１    スライドガイド（下）
２２    スライド型枠
２３    可動耳白棒
２４    耳白棒
２５    締め付けネジ
２６    表紙型枠
２７    筋付け突起
２８    筋付け調整突起
２９    表紙ガイド
３０    嵌め込み調整板
【図１】
2016041502.tif 000003
【図２】
2016041502.tif 000004
【図３】
2016041502.tif 000005